(57)【要約】【課題】使用性を向上させる。【解決手段】ワイヤレス受信器２は、受信部２１がオン信号を受信すると、照明負荷Ｌを点灯させ、報知部２６が周期の長い点滅を行う。また、操作ハンドル５１及びハンドルカバー５２に対して押操作が行われたときも同様に、照明負荷Ｌを点灯させ、報知部２６は周期の長い点滅を行う。このときに、操作ハンドル５１に対して一定時間の押操作が行われると、制御部２５は通常モードから継続オンモードに切り替える。照明負荷Ｌは既に点灯しているので、そのまま点灯を継続する。報知部２６は継続オンモードになったことによって、周期の長い点滅から周期の短い点滅を一定時間だけ行う。上記一定時間が経過すると、報知部２６は消灯する。その後、操作ハンドル５１に対して押操作が行われると、制御部２５は継続オンモードから通常モードに切り替える。これに伴い、照明負荷Ｌは消灯し、報知部２６は点灯状態となる。【選択図】図１
2008294994.tif 000002
【特許請求の範囲】
【請求項１】
ワイヤレス信号を送信するワイヤレス送信器とともに用いられ、負荷と接続するワイヤレス受信器であって、
前記ワイヤレス送信器から前記ワイヤレス信号によって前記負荷をオンにさせるためのオン信号を受信する受信手段と、
異なる２つの操作に基づいて前記負荷のオンオフを切り替えるための操作手段と、
前記受信手段が前記オン信号を受信した場合又は前記負荷がオフであるときに前記操作手段に対して一の操作が行われた場合に予め設定された動作保持時間だけ前記負荷をオンにさせる通常モード及び前記負荷を継続してオンにさせる継続オンモードを有し、前記通常モードであるときに前記操作手段に対して他の操作が行われた場合に当該通常モードから前記継続オンモードに切り替える制御手段と、
前記操作手段に対して他の操作が行われ前記制御手段が前記通常モードから前記継続オンモードに切り替えたことを報知する報知手段と
を備えることを特徴とするワイヤレス受信器。
【請求項２】
前記操作手段は押釦を有し、
前記制御手段は、前記押釦に対して一定時間以上連続の押操作が行われると前記通常モードから前記継続オンモードに切り替える
ことを特徴とする請求項１記載のワイヤレス受信器。
【請求項３】
前記操作手段は押釦を有し、
前記制御手段は、前記押釦に対して一定時間内に複数回の押操作が行われると前記通常モードから前記継続オンモードに切り替える
ことを特徴とする請求項１記載のワイヤレス受信器。
【請求項４】
前記操作手段は押釦を有し、
前記制御手段は、前記押釦に対して一定時間以上連続の押操作が行われると前記通常モードから前記継続オンモードに切り替える第１の機能、及び前記押釦に対して一定時間内に複数回の押操作が行われると前記通常モードから前記継続オンモードに切り替える第２の機能を有し、
前記第１の機能と前記第２の機能のいずれかを選択するための選択手段を備える
ことを特徴とする請求項１記載のワイヤレス受信器。
【請求項５】
前記報知手段は、前記制御手段が前記通常モードから前記継続オンモードに切り替えたときに、点灯状態が変化することを特徴とする請求項１乃至４のいずれか１項に記載のワイヤレス受信器。
【請求項６】
前記報知手段は、前記制御手段が前記通常モードから前記継続オンモードに切り替えたときに、音を出力することを特徴とする請求項１乃至５のいずれか１項に記載のワイヤレス受信器。
【発明の詳細な説明】
【技術分野】
【０００１】
本発明は、ワイヤレス信号を送信するワイヤレス送信器とともに用いられるワイヤレス受信器に関するものである。
【背景技術】
【０００２】
従来のワイヤレス受信器として、通常では予め設定された動作保持時間だけ負荷をオン（照明負荷の場合、一時点灯）にさせる通常モードであり、ハンドルを３秒間長押しすると、負荷を継続してオン（照明負荷の場合、継続点灯）にさせる継続オンモードに切り替えるものがある。
【０００３】
なお、特許文献１には、負荷の制御状態を表示する動作表示灯を設けた遠隔制御システム用のワイヤレス受信器が開示されている。
【特許文献１】特許第３３１４９４１号公報（第４頁右欄第８〜２０行及び図１，２）
【発明の開示】
【発明が解決しようとする課題】
【０００４】
しかしながら、従来のワイヤレス受信器には、予め設定された動作保持時間だけ負荷をオンにさせる通常モードから負荷を継続してオンにさせる継続オンモードに切り替えた場合、切替中では負荷がオン状態を保ったままであるため、一時オンから継続強制オンに切り替わったか否かを使用者が認識しづらいという問題があった。
【０００５】
本発明は上記の点に鑑みて為されたものであり、その目的は、使用性を向上させることができるワイヤレス受信器を提供することにある。
【課題を解決するための手段】
【０００６】
請求項１の発明は、ワイヤレス信号を送信するワイヤレス送信器とともに用いられ、負荷と接続するワイヤレス受信器であって、前記ワイヤレス送信器から前記ワイヤレス信号によって前記負荷をオンにさせるためのオン信号を受信する受信手段と、異なる２つの操作に基づいて前記負荷のオンオフを切り替えるための操作手段と、前記受信手段が前記オン信号を受信した場合又は前記負荷がオフであるときに前記操作手段に対して一の操作が行われた場合に予め設定された動作保持時間だけ前記負荷をオンにさせる通常モード及び前記負荷を継続してオンにさせる継続オンモードを有し、前記通常モードであるときに前記操作手段に対して他の操作が行われた場合に当該通常モードから前記継続オンモードに切り替える制御手段と、前記操作手段に対して他の操作が行われ前記制御手段が前記通常モードから前記継続オンモードに切り替えたことを報知する報知手段とを備えることを特徴とする。
【０００７】
請求項２の発明は、請求項１の発明において、前記操作手段は押釦を有し、前記制御手段は、前記押釦に対して一定時間以上連続の押操作が行われると前記通常モードから前記継続オンモードに切り替えることを特徴とする。
【０００８】
請求項３の発明は、請求項１の発明において、前記操作手段は押釦を有し、前記制御手段は、前記押釦に対して一定時間内に複数回の押操作が行われると前記通常モードから前記継続オンモードに切り替えることを特徴とする。
【０００９】
請求項４の発明は、請求項１の発明において、前記操作手段は押釦を有し、前記制御手段は、前記押釦に対して一定時間以上連続の押操作が行われると前記通常モードから前記継続オンモードに切り替える第１の機能、及び前記押釦に対して一定時間内に複数回の押操作が行われると前記通常モードから前記継続オンモードに切り替える第２の機能を有し、前記第１の機能と前記第２の機能のいずれかを選択するための選択手段を備えることを特徴とする。
【００１０】
請求項５の発明は、請求項１乃至４のいずれか１項の発明において、前記報知手段は、前記制御手段が前記通常モードから前記継続オンモードに切り替えたときに、点灯状態が変化することを特徴とする。
【００１１】
請求項６の発明は、請求項１乃至５のいずれか１項の発明において、前記報知手段は、前記制御手段が前記通常モードから前記継続オンモードに切り替えたときに、音を出力することを特徴とする。
【発明の効果】
【００１２】
請求項１の発明によれば、負荷を継続してオンにさせるように切り替えたことを報知手段によって使用者に認識させることができるので、使用者は操作手段を必要以上に操作することがなく、使用性を向上させることができる。
【００１３】
請求項２の発明によれば、操作手段に対して、いわゆる長押しという確実な操作が行われることによって、負荷を継続してオンにさせるように切り替えることができる。
【００１４】
請求項３の発明によれば、短時間の操作で負荷を継続してオンにさせるように切り替えることができる。
【００１５】
請求項４の発明によれば、負荷を継続してオンにさせるように切り替えるための操作を使用者の好みに合わせて選択することができるので、使用性を向上させることができる。
【００１６】
請求項５の発明によれば、負荷を継続してオンにさせるように切り替わったことを視認によって明確に認識することができる。
【００１７】
請求項６の発明によれば、負荷を継続してオンにさせるように切り替えたことを音によって明確に認識することができる。
【発明を実施するための最良の形態】
【００１８】
（実施形態１）
まず、実施形態１の負荷制御システムの構成について図１〜３を用いて説明する。この負荷制御システム１は、図２に示すように、照明負荷Ｌ及び電源ＡＣと接続するワイヤレス受信器２と、それぞれがワイヤレス受信器２に赤外線信号（ワイヤレス信号）を送信するワイヤレス送信器３，４とを備えている。なお、負荷としては照明負荷以外のもの（例えば換気扇など）であってもよい。また、ワイヤレス信号を伝送する媒体は赤外線以外のもの（例えば電波など）であってもよい。
【００１９】
ワイヤレス送信器３は電池によって駆動するものであり、人体からの熱線を検知する熱線センサ３０を備え、熱線センサ３０が人体を検知したときに、ワイヤレス受信器２に対して照明負荷Ｌをオンにさせるためのオン信号を赤外線信号によって送信する。
【００２０】
ワイヤレス送信器４は電池によって駆動するものであり、照明負荷Ｌを点灯させるための動作保持時間となった場合や使用者による操作が行われた場合に、ワイヤレス受信器２に対して照明負荷Ｌをオンにさせるためのオン信号を赤外線信号によって送信する。
【００２１】
なお、負荷制御システム１は常にワイヤレス送信器３，４の両方を備えている必要はなく、ワイヤレス送信器３，４のうちいずれかのみを備えていればよい。
【００２２】
次に、ワイヤレス受信器２の機構的構成について図２，３を用いて説明する。ワイヤレス受信器２は、図２に示すように、器体５０と、器体５０の前面の左方に枢支され右方で回動自在となる操作ハンドル５１と、操作ハンドル５１の左方に枢支され右方で開閉自在となるハンドルカバー５２とを備えている。
【００２３】
器体５０は合成樹脂によって形成されたものであり、ワイヤレス受信器２の回路を構成する電子部品を実装したプリント配線板（図示せず）が収納されている。
【００２４】
操作ハンドル５１は合成樹脂で矩形状に形成されたものであり、左側部の背面に設けられた軸受部（図示せず）が器体５０の前面に設けられた軸部（図示せず）に回動自在に枢支されることによって、器体５０の前面の左側で回動自在に軸支される。つまり、操作ハンドル５１は、左側端部を支点として前後方向に回動自在に器体５０に取り付けられ、前方から押操作されることを可能とする。また、図３に示すように、操作ハンドル５１のうちハンドルカバー５２で覆われる部分には、後述の設定部２４（図１参照）を構成する操作摘み２４０が操作ハンドル５１から露出している。
【００２５】
続いて、ワイヤレス受信器２の回路的構成について図１を用いて説明する。ワイヤレス受信器２は、電源ＡＣから照明負荷Ｌへの給電路を開閉するスイッチング素子（例えばトライアックなど）を有する負荷開閉部２０と、ワイヤレス送信器３，４（図２参照）からの赤外線信号によって照明負荷Ｌをオンにさせるためのオン信号を受信する受信部２１と、受信部２１で受信されたオン信号を増幅する増幅回路２２と、照明負荷Ｌのオンオフを切り替えるための操作部２３と、操作部２３への操作によって照明負荷Ｌがオンに切り替わったときの動作保持時間を予め設定するための設定部２４と、受信部２１からのオン信号又は操作部２３からの操作信号に基づいて照明負荷Ｌのオンオフを制御する制御部２５と、照明負荷Ｌのオンオフ状態を報知する報知部２６と、制御部２５などに動作電源を供給する電源回路部２７とを備えている。
【００２６】
受信部２１はワイヤレス送信器３，４（図２参照）から赤外線信号を受信するために、例えばフォトダイオードやフォトトランジスタなどの受光素子（図示せず）を備える。この受信部２１は図３に示すように操作ハンドル５１の前面に突出して設けられている。このように設けられることにより、操作ハンドル５１及びハンドルカバー５２の回動位置に関わらず、水平方向からも赤外線信号を受信することができる。
【００２７】
操作部２３は、操作ハンドル５１によって押操作される押釦（図示せず）を有するタクトスイッチであり、タクトスイッチがオンされたときに操作信号を制御部２５に出力する。この操作部２３に対しては、予め設定された時間より短い時間の押操作、及び上記予め設定された時間以上の押操作の２つの操作がなされる。
【００２８】
制御部２５は、操作ハンドル５１及びハンドルカバー５２が操作されて操作部２３から操作信号が入力されるごとに、負荷開閉部２０のスイッチング素子をスイッチングして（つまりスイッチング素子のオン／オフ状態を交互に反転させて）、照明負荷Ｌの点灯と消灯を交互に切り替える。この制御部２５に電源を供給する電源回路部２７は、負荷開閉部２０が電源ＡＣから照明負荷Ｌへの給電路を閉成しているときには電源ＡＣから給電されて動作電源を作成するとともに、負荷開閉部２０が電源ＡＣから照明負荷Ｌへの給電路を開成しているときには照明負荷Ｌを介して入力される僅かな入力電流によりコンデンサを充電して動作電源を生成している。
【００２９】
制御部２５は、受信部２１がオン信号を受信した場合又は照明負荷Ｌがオフであるときに操作部２３の押釦に対して予め設定された時間より短い時間の押操作が行われた場合に、上記動作保持時間だけ照明負荷Ｌをオンにさせる通常モード、及び照明負荷Ｌを継続してオンにさせる継続オンモードを有する。
【００３０】
この制御部２５は、通常モードであるときに、操作部２３の押釦に対して予め設定された時間以上の押操作が行われると、通常モードから継続オンモードに切り替える。
【００３１】
報知部２６は発光素子などであり、操作ハンドル５１の前面（図３参照）に設けられ、通常モードにおいて照明負荷Ｌが消灯しているときに点灯し、照明負荷Ｌが一時点灯しているときに点滅し、継続オンモードつまり照明負荷Ｌが継続して点灯しているときに消灯する。上記に加えて、報知部２６は、操作部２３に対して設定時間以上の押操作が行われ制御部２５が通常モードから継続オンモードに切り替えたときに、照明負荷Ｌの一時点灯時に行う点滅よりも周期の短い点滅を行い、制御部２５が上記のようにモードを切り替えたことを報知する。なお、報知部２６は上記のような点灯状態の変化に限定されるものではなく、他の点灯状態の変化であってもよい。
【００３２】
次に、本実施形態のワイヤレス受信器２の動作について図４を用いて説明する。最初は通常モードであり、照明負荷Ｌは消灯し、報知部２６は点灯している。この状態で、操作ハンドル５１及びハンドルカバー５２に対して押操作（図４の「ハンドル操作」）が行われると（図４のｔ１）、操作部２３から制御部２５に操作信号が出力される。制御部２５は、操作信号が入力されると、負荷開閉部２０を制御して電源ＡＣから照明負荷Ｌへの給電路を閉成する。これにより、照明負荷Ｌは点灯する。また、報知部２６は、制御部２５による制御によって、周期の長い点滅（図４の「低速点滅」）を行う。その後、動作保持時間が経過すると（ｔ２）、制御部２５は、負荷開閉部２０を制御して電源ＡＣから照明負荷Ｌへの給電路を開成する。これにより、照明負荷Ｌは消灯する。また、報知部２６の点灯状態も点滅から点灯に切り替わる。
【００３３】
続いて、ワイヤレス送信器３，４がオン信号を送信したときの動作について説明する。ワイヤレス受信器２では、受信部２１がオン信号を受信する（図４のｔ３、「センサ入力」）。このオン信号は増幅回路２２を介して制御部２５に出力される。制御部２５は、オン信号が入力されると、負荷開閉部２０を制御して電源ＡＣから照明負荷Ｌへの給電路を閉成する。これにより、照明負荷Ｌは点灯する。また、報知部２６は、制御部２５による制御によって、周期の長い点滅を行う。その後、動作保持時間が経過すると（ｔ４）、制御部２５は、負荷開閉部２０を制御して電源ＡＣから照明負荷Ｌへの給電路を開成する。これにより、照明負荷Ｌは消灯する。また、報知部２６の点灯状態も点滅から点灯に切り替わる。
【００３４】
次に、通常モードから継続オンモードに切り替わるときの動作について説明する。上記と同様に、ワイヤレス送信器３，４がオン信号を送信し、ワイヤレス受信器２において受信部２１がオン信号を受信すると（ｔ５）、照明負荷Ｌは点灯し、報知部２６は周期の長い点滅を行う。このときに、操作ハンドル５１及びハンドルカバー５２に対して一定時間（図４の「ハンドル長押し開始」から「確定」までの３秒間）の押操作が行われると（ｔ６〜ｔ７）、制御部２５は通常モードから継続オンモードに切り替える。照明負荷Ｌは既に点灯しているので、そのまま点灯を継続する。報知部２６は継続オンモードになったことによって、周期の長い点滅から周期の短い点滅（図４の「高速点滅」）を一定時間だけ行う（ｔ７〜ｔ８）。上記一定時間が経過すると（ｔ８）、報知部２６は消灯する。その後、操作ハンドル５１及びハンドルカバー５２に対して押操作が行われると（ｔ９）、制御部２５は継続オンモードから通常モードに切り替える。これに伴い、照明負荷Ｌは消灯し、報知部２６は点灯状態となる。
【００３５】
以上、本実施形態によれば、照明負荷Ｌを継続してオンにさせるように切り替えたことを報知部２６によって使用者に認識させることができるので、使用者は操作部２３を必要以上に操作することがなく、使用性を向上させることができる。
【００３６】
また、操作ハンドル５１を介して操作部２３に対して、いわゆる長押しという確実な操作が行われることによって、照明負荷Ｌを継続してオンにさせるように切り替えることができる。
【００３７】
さらに、制御部２５が通常モードから継続オンモードに切り替えたときに、報知部２６が周期の短い点滅を行うことによって、照明負荷Ｌを継続してオンにさせるように切り替わったことを視認によって明確に認識することができる。
【００３８】
なお、実施形態１の変形例として、報知部２６は、制御部２５が通常モードから継続オンモードに切り替えたときに、音を出力するもの（例えばブザーなど）であってもよい。また、報知部２６は、音による出力と発光素子の点灯とを併用するものであってもよい。このような構成によれば、照明負荷Ｌを継続してオンにさせるように切り替えたことを音によって明確に認識することができる。なお、以下の実施形態２，３についても同様である。
【００３９】
（実施形態２）
実施形態２のワイヤレス受信器２は、制御部２５が、操作部２３の押釦に対して一定時間内に複数回の押操作（ダブルクリック）が行われると通常モードから継続オンモードに切り替える点で、実施形態１と相違している。なお、実施形態１と同様の構成要素については、同一の符号を付して説明を省略する。
【００４０】
本実施形態のワイヤレス受信器２の動作について図５を用いて説明する。通常モードにおいての動作は実施形態１と同様である（図５のｔ１１〜ｔ１４）。
【００４１】
一方、通常モードから継続オンモードに切り替わるときの動作であるが、ワイヤレス送信器３，４がオン信号を送信し、ワイヤレス受信器２において受信部２１がオン信号を受信すると（ｔ１５）、照明負荷Ｌは点灯し、報知部２６は周期の長い点滅を行う。このときに、操作ハンドル５１及びハンドルカバー５２に対して一定時間内に押操作が２回行われると（ｔ１６，ｔ１７）、制御部２５は通常モードから継続オンモードに切り替える。照明負荷Ｌは既に点灯しているので、そのまま点灯を継続する。報知部２６は継続オンモードになったことによって、周期の長い点滅（図５の「低速点滅」）から周期の短い点滅（図５の「高速点滅」）を一定時間だけ行う（ｔ１７〜ｔ１８）。上記一定時間が経過すると（ｔ１８）、報知部２６は消灯する。その後、実施形態１と同様に、操作ハンドル５１及びハンドルカバー５２に対して押操作が行われると（ｔ１９）、制御部２５は継続オンモードから通常モードに切り替える。これに伴い、照明負荷Ｌは消灯し、報知部２６は点灯状態となる。
【００４２】
以上、本実施形態によれば、ダブルクリックによって短時間の操作で照明負荷Ｌを継続してオンにさせるように切り替えることができる。
【００４３】
（実施形態３）
実施形態３のワイヤレス受信器２ａは、制御部２５が、操作部２３の押釦に対して一定時間以上連続の押操作が行われると通常モードから継続オンモードに切り替える第１の機能、及び押釦に対して一定時間内に複数回の押操作が行われると通常モードから継続オンモードに切り替える第２の機能を有し、図６に示すように第１の機能と第２の機能のいずれかを選択するための選択スイッチ５３を備える点で、実施形態１と相違している。なお、第１の機能は実施形態１の制御部２５の機能と同様であり、第２の機能は実施形態２の制御部２５の機能と同様である。また、実施形態１と同様の構成要素については、同一の符号を付して説明を省略する。
【００４４】
本実施形態の選択スイッチ５３は、器体５０の前面に設けられ、通常時にはハンドルカバー５２で覆われており、制御部２５の機能を切り替えるときに操作される。
【００４５】
以上、本実施形態によれば、照明負荷Ｌを継続してオンにさせるように切り替えるための操作を使用者の好みに合わせて選択することができるので、使用性を向上させることができる。
【図面の簡単な説明】
【００４６】
【図１】実施形態１〜３のワイヤレス受信器のブロック図である。
【図２】同上の負荷制御システムの構成図である。
【図３】実施形態１，２のワイヤレス受信器の正面図である。
【図４】実施形態１のワイヤレス受信器の動作説明図である。
【図５】実施形態２のワイヤレス受信器の動作説明図である。
【図６】実施形態３のワイヤレス受信器の正面図である。
【符号の説明】
【００４７】
１  負荷制御システム
２，２ａ  ワイヤレス受信器
２１  受信部
２５  制御部
２６  報知部
３，４  ワイヤレス送信器
５１  操作ハンドル
５２  ハンドルカバー
５３  選択スイッチ
Ｌ  照明負荷
【図１】
2008294994.tif 000003
【図２】
2008294994.tif 000004
【図３】
2008294994.tif 000005
【図４】
2008294994.tif 000006
【図５】
2008294994.tif 000007
【図６】
2008294994.tif 000008